(57)【要約】【課題】安全性を向上させた移動体のための鍵システム等を提供する。【解決手段】錠５を施錠する際、情報入力装置７により利用者は錠５の開錠を許可する開錠情報として開錠時刻情報を入力する。情報入力装置７は、錠５と通信し、入力された開錠情報を送り、錠５は情報入力装置７から受信した開錠情報をメモリ２３の開錠時刻３２に記憶する。錠５を開錠する場合、利用者が鍵９を用いて錠５を開錠しようとすると、錠５の制御部２１は、時計機能部２２により現在時刻を取得する。錠５の制御部２１は、取得した現在時刻と、メモリ２３の開錠時刻３２を比較し、一致するかどうか判定し、一致した場合は錠５の制御部２１は開錠するが、一致しない場合は開錠しない。【選択図】図１
2011252314.tif 000002
【特許請求の範囲】
【請求項１】
時計機能を持つ錠を有する移動体と、情報入力装置とからなる鍵システムであって、
前記情報入力装置は、
前記移動体の前記錠の開錠を許可する時刻、時間帯または経過時間を示す開錠時間情報を入力する入力手段と、
前記開錠時間情報を前記錠に送信する送信手段と、
を具備し、
前記錠は、
前記開錠時間情報を保持する保持手段と、
前記開錠時間情報と現在時刻とを比較して、開錠判定を行う判定手段と、
を具備することを特徴とする鍵システム。
【請求項２】
前記錠は、更にＧＰＳ機能を有し、
前記入力手段は、更に、前記移動体の前記錠の開錠を許可する位置を示す開錠位置情報を入力し、
前記送信手段は、更に、前記登録位置情報を前記錠に送信し、
前記保持手段は、更に、前記登録位置情報を保持し、
前記判定手段は、ＧＰＳ衛星からの信号を受信して現在位置情報を取得し、前記開錠位置情報と前記現在位置情報とを比較して、開錠判定を行うことを特徴とする請求項１に記載の鍵システム。
【請求項３】
前記保持手段は、更に、前記移動体の管理者を識別する管理者権限情報を保持し、
前記判定手段は、前記開錠時間情報と現在時刻との比較による開錠判定、または前記開錠位置情報と前記現在位置情報との比較による開錠判定が失敗すると、前記入力手段から入力される情報と前記管理者権限情報とを比較して、開錠判定を行うことを特徴とする請求項１または請求項２に記載の鍵システム。
【請求項４】
移動体の時計機能付錠であって、
開錠を許可する時刻を示す開錠時刻情報を保持する保持手段と、
前記開錠時間情報と現在時刻とを比較して、開錠判定を行う判定手段と、
を具備することを特徴とする時計機能付錠。
【発明の詳細な説明】
【技術分野】
【０００１】
本発明は、移動体のための鍵システム等に関する。
【背景技術】
【０００２】
個人情報を記憶したメディアを格納するジュラルミンケース、現金輸送のためのケース、あるいは旅行用のスーツケースのような移動体では、物理的な鍵が使用されることが多い。
また、近年では、電子的な操作で錠の開閉を行う電子錠を使用することも行われている。電子錠では、予め登録された暗証番号を用いることによって施錠や開錠が行われる方法が一般的である。しかし、暗証番号を用いる方法では、例えば、暗証番号が漏洩したり、暗証番号が解読されたりする危険があるため、セキュリティ面において問題がある。
【０００３】
特許文献１では、電子錠を備えたボックスの制御システムが開示されている。特許文献１に記載の制御システムでは、利用者が暗証番号や個人ＩＤ（ｉｄｅｎｔｉｆｉｃａｔｉｏｎ）情報等を格納した識別カードを保持する。制御システムは、利用者の個人ＩＤ情報とその個人ＩＤ情報にリンクする個人識別情報と電子錠の状態管理情報とを格納し、通信ネットワークを介して電子錠の開閉の状態を監視する。そして、格納されている電子錠の状態管理情報に基づいて、ボックスの制御部がＩＤカードリーダ等により読み取った個人ＩＤ情報等を用いて電子錠の開閉の条件を指示するという方法が開示されている。
【先行技術文献】
【特許文献】
【０００４】
【特許文献１】特開２００１−３２３６９６号公報
【発明の概要】
【発明が解決しようとする課題】
【０００５】
しかしながら、特許文献１に記載の方法では、個人を識別する識別カードと暗証番号が盗まれてしまった場合、電子錠が開錠されてしまう。また、悪意のある関係者は、任意の時間、場所で開錠することができてしまい、安全性が高いとはいえない。
【０００６】
本発明は、このような問題に鑑みてなされたもので、その目的とするところは、安全性を向上させた移動体のための鍵システム等を提供することである。
【課題を解決するための手段】
【０００７】
前述した目的を達成するために、第１の発明は、時計機能を持つ錠を有する移動体と、情報入力装置とからなる鍵システムであって、前記情報入力装置は、前記移動体の前記錠の開錠を許可する時刻、時間帯または経過時間を示す開錠時間情報を入力する入力手段と、前記開錠時間情報を前記錠に送信する送信手段と、を具備し、前記錠は、前記開錠時間情報を保持する保持手段と、前記開錠時間情報と現在時刻とを比較して、開錠判定を行う判定手段と、を具備することを特徴とする鍵システムである。
第１の発明における鍵システムでは、移動体と鍵が一緒に盗まれても開錠することはできず、安全性が向上する。また、利用者が定められた時間外に移動体を開錠することも防ぐことができる。
【０００８】
第１の発明における前記錠は、更にＧＰＳ機能を有し、前記入力手段は、更に、前記移動体の前記錠の開錠を許可する位置を示す開錠位置情報を入力し、前記送信手段は、更に、前記登録位置情報を前記錠に送信し、前記保持手段は、更に、前記登録位置情報を保持し、前記判定手段は、ＧＰＳ衛星からの信号を受信して現在位置情報を取得し、前記開錠位置情報と前記現在位置情報とを比較して、開錠判定を行うことが望ましい。
これによって、利用者は定められた時間および場所でしか開錠することができず、より安全性が向上する。
【０００９】
また、第１の発明における前記保持手段は、更に、前記移動体の管理者を識別する管理者権限情報を保持し、前記判定手段は、前記開錠時間情報と現在時刻との比較による開錠判定、または前記開錠位置情報と前記現在位置情報との比較による開錠判定が失敗すると、前記入力手段から入力される情報と前記管理者権限情報とを比較して、開錠判定を行うことが望ましい。
これによって、移動体の輸送中に渋滞に巻き込まれ、目的地に予定通り到着できない場合であっても、管理者であれば開錠することができ、利便性が向上する。
【００１０】
第２の発明は、移動体の時計機能付錠であって、開錠を許可する時刻を示す開錠時刻情報を保持する保持手段と、前記開錠時間情報と現在時刻とを比較して、開錠判定を行う判定手段と、を具備することを特徴とする時計機能付錠である。
第２の発明によって、移動体と鍵が一緒に盗まれても開錠することはできず、安全性が向上する鍵システムを得ることができる。
【発明の効果】
【００１１】
本発明により、安全性を向上させた移動体のための鍵システム等を提供することができる。
【図面の簡単な説明】
【００１２】
【図１】第１の実施形態の時限付鍵システム１の概要を示す図
【図２】錠５のハードウエア構成の一例を示す図
【図３】錠５のメモリ２３の詳細を示す図
【図４】情報入力装置７のハードウエア構成の一例を示す図
【図５】錠５の施錠の処理を示すフローチャート
【図６】時限付鍵システム１における錠５の開錠の処理を示すフローチャート
【図７】第２の実施形態の時限付鍵システム２の概要を示す図
【図８】錠５のハードウエア構成の一例を示す図
【図９】錠５のメモリ２３の詳細を示す図
【図１０】時限付鍵システム２における錠５の開錠の処理を示すフローチャート
【発明を実施するための形態】
【００１３】
以下、図面に基づいて本発明に係る時限付鍵システムの実施形態を詳細に説明する。尚、以下の説明および添付図面において、略同一の機能構成を有する構成要素については、同一の符号を付することにより重複説明を省略する。
【００１４】
最初に、図１から図６を参照しながら、第１の実施形態の時限付鍵システム１について説明する。
図１は、第１の実施形態の時限付鍵システム１の概要を示す図である。
時限付鍵システム１は、個人情報や機密情報等を記憶したメディアを格納したジュラルミンケース、現金輸送用ケース、旅行用スーツケース等の移動体３を責任者が監視していない場所で不正に開錠することを防止するものであって、移動体３、情報入力装置７、鍵９から構成される。移動体３は、時限機能を持つ錠５を有する。鍵９は、通常の物理的な鍵の形式でもよいし、ＩＣカード（Ｉｎｔｅｇｒａｔｅｄ  Ｃｉｒｃｕｉｔ）の形式でもよい。
【００１５】
利用者は、錠５を施錠するとき、情報入力装置７を用いて、錠５を開錠することを許可する時刻である開錠時刻情報を登録する。開錠時刻情報は、移動体３を目的地に輸送するための所要時間に基づいて登録される。錠５は、鍵９を用いて開錠する。開錠の際、錠５は現在時刻を取得し、開錠時刻情報が現在時刻と比較して予め定められた閾値内かどうかを確認することによって、開錠判定を行う。
【００１６】
尚、利用者は、開錠時刻情報に代えて、開錠を許可する時間帯を登録しても良い。また、利用者は、開錠時刻情報に代えて、移動体３を輸送するための所要時間を予想し、開錠を許可する経過時間を登録しても良い。
以下では、説明を分かりやすくする為、利用者は開錠時刻情報を登録するものとして説明する。
【００１７】
図２は、錠５のハードウエア構成の一例を示す図である。
錠５は、制御部２１、時計機能部２２、メモリ２３、表示部２４、音声出力部２５、インタフェース部２６等を有する。
制御部２１は、錠５の全体の動作を制御するもので、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、ＲＯＭ等に格納されるプログラムをＲＡＭ上のワークメモリ領域に呼び出して実行し、錠５が行う後述する処理を実現する。
ＲＯＭは、不揮発性メモリであり、ＣＰＵが実行するプログラム、データ等を恒久的に保持している。
ＲＡＭは、揮発性メモリであり、ＲＯＭ等からロードしたプログラム、データ等を一時的に保持するとともに、制御部２１が各種処理を行う為に使用するワークエリアを備える。
時計機能部２２は、現在時刻を管理する。
【００１８】
メモリ２３は、錠５の開錠処理に必要となるデータを保持する。
図３は、錠５のメモリ２３の詳細を示す図である。
メモリ２３は、鍵ＩＤ３１、開錠時刻３２、エラー回数３３、管理者権限３４等を有する。
鍵ＩＤ３１は、鍵９を識別するＩＤである。
開錠時刻３２は、錠５の開錠を許可する時刻を示すもので、錠５を施錠する際、情報入力装置７により入力される開錠時刻情報である。
錠５のメモリ２３に開錠時刻３２を記憶することで、錠５の開錠処理では、他の装置と開錠時刻３２の送受信を行う必要がなく、安全である。
【００１９】
エラー回数３３は、錠５の開錠処理に失敗した回数を保持する。エラー回数３３が既定回数を超えた場合、警告音を出力するようにしてもよい。
管理者権限３４は、移動体３の管理者を識別する情報であって、パスワード等である。例えば、移動体３の輸送中に渋滞に巻き込まれ、目的地に予定通り到着できない場合を想定し、管理者権限３４の入力によって錠５の開錠を許可するようにしても良い。すなわち、錠５の制御部２１は、開錠時刻情報による開錠判定が失敗すると、管理者権限３４の入力を受け付けて、メモリ２３に保持されている管理者権限３４と一致するかどうかを確認し、一致する場合には開錠する。
【００２０】
図２の説明に戻る。
表示部２４は、液晶パネル等の表示装置で、情報入力装置７により錠５の開錠を許可する時刻を入力したときに、入力された開錠時刻情報を表示したり、錠５の開錠時にエラーメッセージ等を表示したりする。表示部２４への登録した開錠時刻の表示は、安全性のため、情報入力装置７により入力されたときに限る。
音声出力部２５は、通知音や警告音等を出力する装置である。例えば、情報入力装置７により錠５に開錠を許可する開錠時刻情報を入力したとき、「ピピ」というような通知音を出力したり、情報入力装置７により登録された開錠時刻以外で錠５を開錠しようとしたとき、「ピッピー」というような警告音を出力したりするようにしてもよい。
錠５は、表示部２４及び音声出力部２５の両方を備える必要はなく、いずれか一方を備えるものであっても良い。
インタフェース部２６は、情報入力装置７等と通信を行う。
【００２１】
図４は、情報入力装置７のハードウエア構成の一例を示す図である。
情報入力装置７は、錠５に開錠を許可する位置情報を入力する装置で、錠５との接続は、有線でも無線でもよい。また、情報入力装置７は、移動体３に付属する形態でもよい。
情報入力装置７は、制御部４１、入力部４２、表示部４３、インタフェース部４４等を有する。
【００２２】
制御部４１は、情報入力装置７全体の動作を制御するもので、ＣＰＵ、ＲＯＭ、ＲＡＭ等で構成される。
ＣＰＵは、ＲＯＭ等に格納されるプログラムをＲＡＭ上のワークメモリ領域に呼び出して実行し、情報入力装置７が行う処理を実現する。
ＲＯＭは、不揮発性メモリであり、ＣＰＵが実行するプログラム、データ等を恒久的に保持している。
ＲＡＭは、揮発性メモリであり、ＲＯＭ等からロードしたプログラム、データ等を一時的に保持するとともに、制御部４１が各種処理を行う為に使用するワークエリアを備える。
【００２３】
入力部４２は、錠５の開錠を許可する開錠時刻情報を入力するもので、キーボード、タッチパネル等の入力装置を有する。
表示部４３は、液晶パネル等の表示装置である。
インタフェース部４４は、錠５等と接続し、通信を行う。
【００２４】
図５は、時限付鍵システム１における錠５の施錠の処理を示すフローチャートである。
利用者は、錠５を施錠する際、情報入力装置７を介して、錠５の開錠を許可する開錠情報として開錠時刻情報を入力する（ステップＳ１０１）。
例えば、移動体３を支店から本店に輸送する場合、本店に到着する予定時刻を開錠時刻情報として指定する。
また、安全性を高めるため、開錠時刻情報を入力する前に暗証番号等の入力を要求し、利用者の認証を行うようにしてもよい。
【００２５】
情報入力装置７は、錠５と通信し、入力された開錠情報を送る（ステップＳ１０２）。
錠５は、情報入力装置７から受信した開錠情報をメモリ２３の開錠時刻３２に記憶する（ステップＳ１０３）。
このとき、錠５の制御部２１は、確認のために開錠時刻３２を表示部２４に表示するようにしてもよいし、あるいは、音声出力部２５により「ピピ」等の通知音を出力するようにしてもよい。
【００２６】
図６は、時限付鍵システム１における錠５の開錠の処理を示すフローチャートである。
利用者が鍵９を用いて錠５を開錠しようとすると、錠５の制御部２１は、時計機能部２２により現在時刻を取得し、現在時刻が開錠時刻３２（開錠時刻情報）の範囲内かどうかを判定する（ステップＳ２０１）。
利用者が鍵９により錠５を開錠しようとする際、暗証番号等の入力を要求するようにしてもよいし、鍵９がＩＣカードの場合は、ＩＣカードに記憶した生体情報を用いて生体認証を行うようにしてもよい。
【００２７】
現在時刻が開錠時刻情報の範囲内の場合（ステップＳ２０１のＹｅｓ）、制御部２１は開錠する（ステップＳ２０２）。
現在時刻が開錠時刻情報の範囲内ではない場合（ステップＳ２０１のＮｏ）、制御部２１は開錠しない（ステップＳ２０３）。そして、制御部２１はエラー回数３３を増分し（ステップＳ２０４）、エラー回数３３が既定回数以上かどうかを判定する（ステップＳ２０５）。エラー回数３３が既定回数以上の場合（ステップＳ２０５のＹｅｓ）、制御部２１は、音声出力部２５による警告音の出力、あるいは、表示部２４へのエラーメッセージ表示を行う（ステップＳ２０６）。
【００２８】
以上説明したように、第１の実施形態の時限付鍵システム１では、移動体３の施錠時に開錠を許可する開錠時刻情報を錠５のメモリ２３に記憶させ、移動体３の開錠時に登録された開錠時刻情報と現在時刻を比較することにより、移動体３の開錠判定を行う。これにより、移動体３と鍵９が一緒に盗まれても開錠することはできず、安全性が向上する。また、利用者が定められた時間外に移動体３を開錠することも防ぐことができる。
【００２９】
次に、図７から図１０を参照しながら、第２の実施形態の時限付鍵システム２について説明する。
【００３０】
図７は、第２の実施形態の時限付鍵システム２の概要を示す図である。
第２の実施形態の時限付鍵システム２における錠５の開錠情報は、開錠時刻情報および開錠位置情報である。そこで、図７に示すように、時限付鍵システム２では、ＧＰＳ衛星１１を利用して現在位置を取得する。
【００３１】
利用者は、錠５を施錠するとき、情報入力装置７を用いて、錠５を開錠することを許可する開錠時刻情報と開錠位置情報を登録する。
開錠の際、錠５は、現在時刻を取得し、開錠時刻情報が現在時刻と比較して予め定められた閾値内かどうかを確認することによって、開錠判定を行う。更に、錠５は、ＧＰＳ衛星１１から現在位置を取得し、開錠位置情報が現在位置と比較して予め定められた閾値内かどうかを確認することによって、開錠判定を行う。
【００３２】
図８は、錠５のハードウエア構成の一例を示す図である。
錠５は、制御部２１、時計機能部２２、ＧＰＳ機能２７、メモリ２３、表示部２４、音声出力部２５、インタフェース部２６等を有する。制御部２１、時計機能部２２、表示部２４、音声出力部２５、インタフェース部２６は、第１の実施の形態と同様である。
ＧＰＳ機能２７は、ＧＰＳ衛星１１の電波を受信し、現在位置を特定する。
【００３３】
図９は、錠５のメモリ２３の詳細を示す図である。
メモリ２３は、錠５の開錠処理に必要となるデータを保持する。
メモリ２３は、鍵ＩＤ３１、開錠時刻３２、エラー回数３３、管理者権限３４、登録緯度３５、登録経度３６等を有する。鍵ＩＤ３１、開錠時刻３２、エラー回数３３、管理者権限３４は、第１の実施形態と同様である。
登録緯度３５、登録経度３６は、錠５の開錠を許可する位置の緯度、経度を示すもので、錠５を施錠する際、情報入力装置７により入力される。
錠５のメモリ２３に開錠時刻３２、登録緯度３５、登録経度３６を記憶することで、錠５の開錠処理では、他の装置と開錠時刻３２、登録緯度３５、登録経度３６の送受信を行う必要がなく、安全である。
【００３４】
情報入力装置７のハードウエア構成は、図４を参照して説明した第１の実施の形態と同様である。また、錠５の施錠の処理は、図５を参照して説明した第１の実施の形態と同様である。第２の実施の形態では、図５のＳ１０２において入力される開錠情報が、開錠時刻情報および開錠位置情報となる。
【００３５】
図１０は、時限付鍵システム２における錠５の開錠の処理を示すフローチャートである。
利用者が鍵９を用いて錠５を開錠しようとすると、錠５の制御部２１は、時計機能部２２により現在時刻を取得し、現在時刻が開錠時刻情報の範囲内かどうかを判定する（ステップＳ４０１）。
【００３６】
現在時刻が開錠時刻情報の範囲内の場合（ステップＳ４０１のＹｅｓ）、制御部２１は開錠する（ステップＳ４０２）。
現在時刻が開錠時刻情報の範囲内ではない場合（ステップＳ４０１のＮｏ）、制御部２１は、ＧＰＳ機能部２７によりＧＰＳ衛星１１の電波を受信し、現在位置を取得する（ステップＳ４０３）。
そして、制御部２１は、取得した現在位置情報と、メモリ２３の登録緯度３５、登録経度３６（開錠位置情報）を比較し、一致するかどうか判定する（ステップＳ４０４）。ただし、ＧＰＳの誤差を許容する範囲で一致するかどうかを判定する。
【００３７】
現在位置情報と登録した開錠位置情報が一致する場合（ステップＳ４０４のＹｅｓ）、制御部２１は開錠する（ステップＳ４０２）。
現在位置情報と登録した位置情報が一致しない場合（ステップＳ４０４のＮｏ）、制御部２１は開錠しない（ステップＳ４０５）。そして、制御部２１はエラー回数３３を増分し（ステップＳ４０６）、エラー回数３３が既定回数以上かどうかを判定する（ステップＳ４０７）。エラー回数３３が既定回数以上の場合（ステップＳ４０７のＹｅｓ）、制御部２１は、音声出力部２５による警告音の出力、あるいは、表示部２４へのエラーメッセージ表示を行う（ステップＳ４０８）。
【００３８】
以上説明したように、第２の実施形態の時限付鍵システム２では、第１の実施形態の開錠時刻情報に加えて、開錠を許可する開錠位置情報を錠５のメモリ２３に記憶させる。そして、開錠時にＧＰＳ機能２７により現在位置を取得し、登録された開錠位置情報と現在位置情報を比較することにより、移動体３の開錠判定を行う。
これにより、目的地への到着が遅れた場合でも、予め指定された場所であれば移動体の開錠が可能となり、利便性が向上する。
【００３９】
尚、前述の説明では、開錠時刻情報の判定が失敗した場合にのみ、開錠位置情報の判定を行ったが、本発明はこれに限定されない。例えば、開錠時刻情報と現在時刻を比較し、更に、開錠位置情報と現在位置情報を比較し、両方が一致したときに開錠を許可するようにしても良い。これにより、利用者は定められた時間および場所でしか開錠することができず、より安全性が向上する。
【００４０】
以上、添付図面を参照しながら、本発明に係る時限付鍵システム等の好適な実施形態について説明したが、本発明は係る例に限定されない。当業者であれば、本願で開示した技術的思想範疇内において、各種の変更例又は修正例に想到し得ることは明らかであり、それらについても当然に本発明の技術的範囲に属するものと了解される。
【符号の説明】
【００４１】
１、２………時限付鍵システム
３………移動体
５………錠
７………情報入力装置
９………鍵
１１………ＧＰＳ衛星
【図１】
2011252314.tif 000003
【図２】
2011252314.tif 000004
【図３】
2011252314.tif 000005
【図４】
2011252314.tif 000006
【図５】
2011252314.tif 000007
【図６】
2011252314.tif 000008
【図７】
2011252314.tif 000009
【図８】
2011252314.tif 000010
【図９】
2011252314.tif 000011
【図１０】
2011252314.tif 000012